(57)【要約】【課題】  燃料電池を停止して次回起動するときに酸化ガス流路から排出されるガス中の水素濃度を低減する。【解決手段】  燃料電池システムは、燃料電池のアノードに対して水素を含有する燃料ガスを供給する燃料ガス供給部と、燃料電池のカソードに対して酸素を含有する酸化ガスを供給する酸化ガス供給部（エアコンプレッサ２４）と、を備える。また、燃料電池システムがシステム停止状態であるときに、燃料電池内部における電解質層を介したアノード側からカソード側への水素透過量を反映する情報に基づいて、所定量の水素が透過したか否かを判定する水素透過量判定部を備える。さらに、水素透過量判定部によって所定量の水素が透過したと判定されたときに、酸化ガス供給部を駆動する酸化ガス制御部７１を備える。【選択図】  図３
2006252903.tif 000002
【特許請求の範囲】
【請求項１】
燃料電池を備える燃料電池システムであって、
前記燃料電池のアノードに対して水素を含有する燃料ガスを供給する燃料ガス供給部と、
前記燃料電池のカソードに対して酸素を含有する酸化ガスを供給する酸化ガス供給部と、
前記燃料電池システムがシステム停止状態であるときに、前記燃料電池内部における電解質層を介したアノード側からカソード側への水素透過量を反映する情報に基づいて、所定量の水素が透過したか否かを判定する水素透過量判定部と、
前記水素透過量判定部によって、前記所定量の水素が透過したと判定されたときに、前記酸化ガス供給部を駆動する酸化ガス制御部と
を備える燃料電池システム。
【請求項２】
請求項１記載の燃料電池システムであって、さらに、
前記燃料電池の他に、電力を出力可能な電力出力部を備え、
前記酸化ガス供給部は、前記所定量の水素が透過したと判定されたときには、前記電力出力部から電力供給を受けて前記酸化ガスの供給を行なう
燃料電池システム。
【請求項３】
請求項１または２記載の燃料電池システムであって、さらに、
前記燃料電池システムが前記所定のシステム停止状態であるときに、前記水素透過量の増加速度が所定のレベルを超えているか否かを判定する水素透過速度判定部を備える
燃料電池システム。
【請求項４】
請求項３記載の燃料電池システムであって、さらに、
前記水素透過速度判定部が、前記水素透過量の増加速度が前記所定のレベルを超えていると判定したときに、該判定が行なわれたことを報知する報知部を備える
燃料電池システム。
【請求項５】
請求項１ないし４いずれか記載の燃料電池システムであって、さらに、
大気圧を反映する情報を取得する大気圧情報取得部を備え、
前記酸化ガス制御部は、前記大気圧情報取得部が取得した情報に基づいて、大気圧がより低いときには、前記酸化ガス供給部の駆動量をより増加させる
燃料電池システム。
【請求項６】
燃料電池を備える燃料電池システムの運転方法であって、
（ａ）前記燃料電池システムがシステム停止状態であるときに、前記燃料電池内部における電解質層を介したアノード側からカソード側への水素透過量を反映する情報に基づいて、所定量の水素が透過したか否かを判定する工程と、
（ｂ）前記（ａ）工程において前記所定量の水素が透過したと判定されたときに、前記燃料電池のカソードに対して酸素を含有する酸化ガスを供給する工程と
を備える燃料電池システムの運転方法。
【発明の詳細な説明】
【技術分野】
【０００１】
この発明は、燃料電池を備える燃料電池システムおよびその運転方法に関する。
【背景技術】
【０００２】
燃料電池を備えるシステムにおいては、燃料電池のアノード側に水素を含有する燃料ガスが供給されるため、何らかの経路で水素がシステム外に放出される場合がある。そのため、可燃性の水素ガスが高い濃度で排出されることのないように充分な対策が施されることが望まれる。
【０００３】
燃料電池システムの外に水素が放出される場合の一つとして、水素循環方式の燃料電池システムにおける水素循環路からパージガスが排出される場合が挙げられる。水素循環方式の燃料電池システムとは、燃料ガスとして水素ガスを用い、燃料電池から排出されるアノード排ガスを再びアノードに供給することによって、アノードを経由して水素を循環させるシステムである。このようなシステムでは、燃料電池のカソードに供給される酸化ガス（空気）中の窒素や、発電時にカソードで生じる生成水が、電解質層を介してアノード側に透過するため、アノードを経由して水素を循環させる循環流路内の水素ガスでは、窒素や水蒸気などの不純物濃度が次第に高まる。そのため、上記システムでは、所定のタイミングで循環流路から不純物濃度が上昇した水素ガスを排出させ、循環流路内における不純物濃度の上昇を抑えている。このように、不純物濃度を低減するために循環流路から排出される不純物含有水素ガスがパージガスである。パージガスを最終的に外部に放出する際に、外部に放出されるガス中の水素濃度を低減する方法の一つとして、パージガスとカソード排ガスとを希釈器に導き、パージガスをカソード排ガスによって希釈した後に外部に放出する方法が知られている（例えば、特許文献１参照）。このような燃料電池システムでは、システム停止時にパージガスの排出を停止した後にもカソードへの空気供給を続行し、カソード排ガスを用いて希釈器内の水素を充分に排出させている。これにより、希釈器内に水素が滞留することがなく、次回、燃料電池システムを起動してカソードへの空気供給を開始する際に、希釈器を経由する流路から水素濃度が比較的高いガスが排出されることがない。
【０００４】
【特許文献１】特開２００４−１２７７４９号公報
【発明の開示】
【発明が解決しようとする課題】
【０００５】
しかしながら、上記のように燃料電池の停止時にカソードへの酸化ガス供給を行なっても、燃料電池内部の燃料ガス流路内には、水素含有ガスが滞留したままになっている。このような燃料ガス流路内に滞留する水素は、燃料電池システムを停止させた後に、燃料電池の電解質層を介して酸化ガス流路側へと次第に透過する。そのため、次回、燃料電池システムの起動時に、燃料電池に対して酸化ガスの供給を開始すると、アノード側から透過した水素を含有する、比較的水素濃度の高いガスが、カソード排ガスとして燃料電池から排出される可能性がある。
【０００６】
本発明は、上述した従来の課題を解決するためになされたものであり、燃料電池を停止して次回起動するときに酸化ガス流路から排出されるガス中の水素濃度を低減することを目的とする。
【課題を解決するための手段】
【０００７】
上記目的を達成するために、本発明は、燃料電池を備える燃料電池システムであって、
前記燃料電池のアノードに対して水素を含有する燃料ガスを供給する燃料ガス供給部と、
前記燃料電池のカソードに対して酸素を含有する酸化ガスを供給する酸化ガス供給部と、
前記燃料電池システムがシステム停止状態であるときに、前記燃料電池内部における電解質層を介したアノード側からカソード側への水素透過量を反映する情報に基づいて、所定量の水素が透過したか否かを判定する水素透過量判定部と、
前記水素透過量判定部によって、前記所定量の水素が透過したと判定されたときに、前記酸化ガス供給部を駆動する酸化ガス制御部と
を備えることを要旨とする。
【０００８】
以上のように構成された本発明の燃料電池システムによれば、燃料電池システムがシステム停止状態であるときに、電解質層を介して所定量の水素が透過したと判断されると、酸化ガス供給部が駆動されるため、燃料電池内部においてカソード側の流路における水素濃度の上昇を抑えることができる。したがって、次回システム起動時に酸化ガス供給部を駆動する際の、カソード排ガス中の水素濃度を低減することができる。
【０００９】
本発明の燃料電池システムにおいて、さらに、
前記燃料電池の他に、電力を出力可能な電力出力部を備え、
前記酸化ガス供給部は、前記所定量の水素が透過したと判定されたときには、前記電力出力部から電力供給を受けて前記酸化ガスの供給を行なうこととしても良い。
【００１０】
このような構成とすれば、燃料電池システムの停止中に電解質層を介してカソード側へと透過した水素を排出するために燃料電池による発電を行なう必要がない。従って、酸化ガス供給部を駆動するために燃料電池を用いることに起因して燃料電池システムのエネルギ効率が低下することがない。
【００１１】
これらの本発明の燃料電池システムにおいて、さらに、前記燃料電池システムが前記所定のシステム停止状態であるときに、前記水素透過量の増加速度が所定のレベルを超えているか否かを判定する水素透過速度判定部を備えることとしても良い。
【００１２】
このような構成とすることで、電解質層を介した水素透過量を増大させる不具合が生じたときには、これを検出可能となる。
【００１３】
このような本発明の燃料電池システムにおいて、さらに、前記水素透過速度判定部が、前記水素透過量の増加速度が前記所定のレベルを超えていると判定したときに、該判定が行なわれたことを報知する報知部を備えることとしても良い。
【００１４】
これにより、使用者は、電解質層を介した水素透過量を増大させる不具合が生じたことを知ることができ、適切に対処することが可能となる。
【００１５】
また、本発明の燃料電池システムにおいて、さらに、
大気圧を反映する情報を取得する大気圧情報取得部を備え、
前記酸化ガス制御部は、前記大気圧情報取得部が取得した情報に基づいて、大気圧がより低いときには、前記酸化ガス供給部の駆動量をより増加させることとしても良い。
【００１６】
このような構成とすれば、大気圧が異なる環境で燃料電池システムを使用する場合であっても、酸化ガス制御部によって酸化ガス供給部を駆動する際の供給酸化ガス量を確保することができる。したがって、水素濃度を低減させて外部に排出する動作の信頼性を高めることができる。
【００１７】
本発明は、上記以外の種々の形態で実現可能であり、例えば、燃料電池システムの運転方法、あるいは、本発明の燃料電池システムを駆動用電源として搭載する移動体などの形態で実現することが可能である。
【発明を実施するための最良の形態】
【００１８】
次に、本発明の実施の形態を実施例に基づいて以下の順序で説明する。
Ａ．システムの全体構成：
Ｂ．システム停止中における水素排出処理：
Ｃ．第２実施例：
Ｄ．第３実施例：
Ｅ．変形例：
【００１９】
Ａ．システムの全体構成：
図１は、本発明の第１実施例である燃料電池システム１０における燃料電池の発電に関わる部分の構成の概略を表わすブロック図である。本実施例の燃料電池システム１０は、車両に搭載され、車両の駆動用電源として用いられる。燃料電池システム１０は、発電の本体である燃料電池２２と、燃料電池２２に供給する水素を貯蔵する水素タンク２３と、燃料電池２２に圧縮空気を供給するためのエアコンプレッサ２４と、を備えている。燃料電池２２としては種々の種類の燃料電池を用いることが可能であるが、本実施例では、燃料電池２２として固体高分子型燃料電池を用いている。この燃料電池２２は、複数の単セルを積層したスタック構造を有している。
【００２０】
水素タンク２３は、例えば、高圧水素を貯蔵する水素ボンベである。あるいは、水素吸蔵合金を内部に備え、水素吸蔵合金に吸蔵させることによって水素を貯蔵するタンクとしても良い。水素タンク２３に貯蔵される水素ガスは、水素タンク２３に接続する水素供給路６０に放出された後、圧力調整弁６２によって所定の圧力に調整（減圧）されて、燃料ガスとして燃料電池２２を構成する各単セルのアノードに供給される。燃料電池２２のアノードから排出されるアノード排ガスは、アノード排ガス路６３に導かれて再び水素供給路６０に流入する。このように、アノード排ガス中の残余の水素は、水素供給路６０の一部とアノード排ガス路６３と燃料電池２２内の流路とから成る流路（以下、循環流路と呼ぶ）内を循環して再度電気化学反応に供される。電気化学反応による消費量に相当する水素は、圧力調整弁６２を介して水素タンク２３から循環流路へと補充される。循環流路内でアノード排ガスを循環させるために、アノード排ガス路６３には水素ポンプ６５が設けられている。また、水素供給路６０には、圧力調整弁６２の上流側に、シャットバルブ６１が設けられている。このシャットバルブ６１は、燃料電池の発電を停止する際には閉状態へと駆動され、水素タンク２３から燃料電池２２への水素ガス供給を遮断する。
【００２１】
さらに、アノード排ガス路６３には、気液分離器２７が設けられている。電気化学反応の進行に伴ってカソードでは水が生じるが、生じた水は、燃料電池２２の電解質膜を介して、アノード側に供給される燃料ガス内にも導入される。気液分離器２７は、このようなアノード排ガス中に含まれる水蒸気を凝縮させて、アノード排ガスから除去する。
【００２２】
気液分離器２７には、バルブ２７ａが設けられている。このバルブ２７ａを開状態とすることで、気液分離器２７内で凝縮された水が、バルブ２７ａに接続する排ガス排出路６４を介して外部に排出される。なお、バルブ２７ａが開状態になると、上記凝縮水と共に、アノード排ガス路６３内を流れるアノード排ガスの一部も外部に排出される。燃料電池２２の運転時には、アノード側を流れるガスにおいては、既述したように電解質膜を介して、カソード側から水が導入されると共に、カソードに供給される空気中の窒素なども導入される。従って、燃料電池による発電を継続していると、循環流路内を循環する水素含有ガスにおいては、窒素などの不純物濃度が上昇する。本実施例の燃料電池システム１０では、所定のタイミングでバルブ２７ａを開状態にすることによって、上記循環する水素含有ガスの一部を外部に排出して、水素含有ガス中の不純物濃度の上昇を抑えている。
【００２３】
ここで、排ガス排出路６４は、排ガス排出路６４よりも断面積が大きい容器である希釈器２６に接続されている。この希釈器２６は、アノード排ガスを外部に排出する際に、排出に先立って、アノード排ガス中の水素を後述するカソード排ガスによって希釈するために設けられている。
【００２４】
エアコンプレッサ２４は、加圧した空気を、酸素を含有する酸化ガスとして酸化ガス供給路６７を介して燃料電池２２のカソードに供給する。エアコンプレッサ２４が空気を圧縮する際には、エアクリーナ２８を介して外部から空気を取り込む。カソードから排出されるカソード排ガスは、カソード排ガス路６８に導かれて外部に排出される。ここで、酸化ガス供給路６７およびカソード排ガス路６８は、加湿モジュール２５を経由している。加湿モジュール２５では、水蒸気透過性を有する膜によって酸化ガス供給路６７とカソード排ガス路６８とが隔てられており、水蒸気を含有するカソード排ガスを用いて、カソードに供給する加圧空気の加湿を行なっている。また、カソード排ガス路６８は、カソード排ガスを外部に導くのに先立って、既述した希釈器２６を経由している。そのため、カソード排ガスは、希釈器２６において、排ガス排出路６４を介して流入するアノード排ガスと混合されてこれを希釈し、その後、外部に排出される。なお、酸化ガス供給路６７には、エアクリーナ２８の上流側に大気圧センサ５０が設けられており、カソード排ガス路６８には、カソード排ガス路６８を流れるガス中の水素濃度を検出する水素濃度センサ５２が設けられている。水素濃度センサ５２の詳しい構成については後述する。
【００２５】
さらに、燃料電池システム１０は、燃料電池システム１０の各部の動きを制御する制御部７０を備えている。制御部７０は、マイクロコンピュータを中心とした論理回路として構成され、詳しくは、予め設定された制御プログラムに従って所定の演算などを実行するＣＰＵ７４と、ＣＰＵ７４で各種演算処理を実行するのに必要な制御プログラムや制御データ等が予め格納されたＲＯＭ７５と、同じくＣＰＵ７４で各種演算処理をするのに必要な各種データが一時的に読み書きされるＲＡＭ７６と、各種の信号を入出力する入出力ポート７８等を備える。この制御部７０は、各種センサ、例えば既述した大気圧センサ５０や水素濃度センサ５２の検出信号や、燃料電池２２に対する負荷要求に関する情報などを取得する。また、燃料電池システム１０が備える圧力調整弁６２、エアコンプレッサ２４、水素ポンプ６５、あるいはバルブ６１，２７ａなど、燃料電池２２の発電に関わる各部に駆動信号を出力する。
【００２６】
図２は、本実施例の燃料電池システム１０を搭載する電気自動車１５の構成の概略を表わすブロック図である。図２に示すように、車両の駆動用電源である燃料電池システム１０は、発電の本体である燃料電池２２に加えて、さらに、２次電池４０を備えている。なお、図２では、燃料電池２２に係る電気的な接続状態を中心に表わしており、燃料電池２２におけるガスの給排に関わる流路等の記載は省略している。
【００２７】
電気自動車１５は、燃料電池システム１０から電力を供給される負荷として、駆動インバータ３０を介して燃料電池システム１０に接続される駆動モータ３２と、補機類４４とを備えている。これらの負荷と燃料電池システム１０との間には、配線４８が設けられており、この配線４８を介して、燃料電池システム１０と負荷との間で電力がやり取りされる。ここで、２次電池４０は、ＤＣ／ＤＣコンバータ４２を介して上記配線４８に接続されており、ＤＣ／ＤＣコンバータ４２と燃料電池２２とは、上記配線４８に対して並列に接続されている。
【００２８】
２次電池４０は、燃料電池システム１０の始動時に、燃料電池システム１０の各部を駆動するための電力を供給したり、燃料電池システム１０の暖機運転が完了するまでの間、各負荷に対して電力を供給する。また、燃料電池２２が定常状態で発電を行なうときにも、負荷が所定の値よりも大きくなる場合には、２次電池４０によって電力を補うこととしても良い。さらに、本実施例では、２次電池４０は、燃料電池システム１０の停止中に、燃料電池２２から水素を排出する動作を行なうために要する電力を供給する。この水素排出の動作については後に詳しく説明する。なお、２次電池４０は、燃料電池２２によって適宜充電される。
【００２９】
ＤＣ／ＤＣコンバータ４２は、出力側の目標電圧値を設定することによって、配線４８を介して並列に接続される燃料電池２２からの出力電圧を調節して燃料電池２２の発電量を制御すると共に、２次電池４０の充放電状態を制御する。なお、ＤＣ／ＤＣコンバータ４２は、２次電池４０と配線４８との接続状態を制御するスイッチとしての役割も果たしており、２次電池４０において充放電を行なう必要のないときには、２次電池４０と配線４８との接続を切断する。
【００３０】
また、配線４８には、配線４８と燃料電池２２との接続を入り切りするスイッチ４７が設けられている。２次電池４０のみから負荷に対して電力を供給するとき、あるいは、燃料電池システム１０を停止する際には、このスイッチ４７によって、燃料電池２２と配線４８との接続が切断される。
【００３１】
負荷の一つである駆動モータ３２は、同期モータであって、回転磁界を形成するための三相コイルを備えており、駆動インバータ３０を介して燃料電池システム１０から電力の供給を受ける。駆動インバータ３０は、上記駆動モータ３２の各相に対応してスイッチング素子としてのトランジスタを備えるトランジスタインバータである。駆動モータ３２の出力軸３６は、減速ギヤ３４を介して車両駆動軸３８に接続している。
【００３２】
他の負荷である補機類４４には、既述したエアコンプレッサ２４や水素ポンプ６５など、燃料電池２２が発電する際に駆動する必要のある燃料電池補機が含まれている。なお、補機類４４のうち、駆動電圧がより低いバルブ類は、図示しない降圧ＤＣ／ＤＣコンバータによって降圧された電力が供給される。さらに、補機類４４としては、燃料電池補機に含まれるものの他に、例えば電気自動車１５が備える空調装置（エアコン）といった車両補機が含まれる。
【００３３】
なお、制御部７０は、燃料電池システム１０が備えるものとして説明したが、本実施例の電気自動車１５では、制御部７０によって車両全体の制御が行なわれている。したがって、制御部７０は、補機類４４やＤＣ／ＤＣコンバータ４２の他、駆動インバータ３０に対しても駆動信号を出力する。この制御部７０もまた、駆動モータ３２や補機類４４と同様に、燃料電池２２および２次電池４０から電力の供給を受けて動作する。
【００３４】
Ｂ．システム停止中における水素排出処理：
燃料電池システム１０を停止すると（例えば、電気自動車１５に設けられた図１に示す駆動スイッチ８０が使用者によってオフにされると）、燃料電池システム１０を構成する各部の運転が停止される。例えば、燃料電池２２における発電の停止に伴って、エアコンプレッサ２４が停止されて燃料電池２２への酸化ガスの供給が停止される。さらに、シャットバルブ６１が閉じられて、循環流路への水素ガスの供給が停止されると共に、水素ポンプ６５が停止されて循環流路内に水素ガスが滞留する状態となる。このとき、燃料電池システム１０の各部を制御する制御部７０に対する電力の供給も遮断される。
【００３５】
燃料電池システム１０が停止された後は、燃料電池２２内部では、燃料電池２２が備える電解質膜を介して、アノード側の流路内に滞留する水素ガスがカソード側の流路へと次第に透過する。本実施例では、燃料電池システム１０の停止中に燃料電池２２内部で電解質層を介してアノード側からカソード側へと水素が透過することによるカソード側流路における水素濃度の上昇を、カソード排ガス路６８に設けられた水素濃度センサ５２によって検出している。なお、本実施例では、水素濃度センサ５２は、カソード排ガス路６８における燃料電池２２との接続部近傍に設けられているが、その他の位置、例えば、酸化ガス供給路６７における燃料電池２２との接続部近傍に設けることも可能である。カソード側の流路へと透過した水素を検出可能な位置であればよい。
【００３６】
図３は、燃料電池システム１０の停止時に実行される処理であって、カソード側流路における水素濃度に基づいてカソード側流路から水素を排出する処理に関わる各部を表わすブロック図である。また、図４は、燃料電池システム１０の停止時に、カソード側流路における水素濃度の上昇に対応するために燃料電池システム１０で繰り返し実行される水素排出処理の工程を表わすフローチャートである。図３に示すように、水素濃度センサ５２は、カソード排ガス路６８内の水素濃度を感知して、感知した水素濃度に応じた電気信号Ａを発生するセンシング部５３と、センシング部５３からの電気信号Ａを取得して所定の処理を実行する水素透過量判定回路５４と、を備えている。この水素濃度センサ５２は、燃料電池システム１０が停止された後も、２次電池４０から電力の供給を受けることによって動作する。従って、燃料電池システム１０が停止された後は、まず、センシング部５３が、カソード側流路における水素濃度を検出する（ステップＳ１００）。
【００３７】
センシング部５３が水素濃度に応じた電気信号Ａを出力すると、水素透過量判定回路５４は、この電気信号Ａを取得して、カソード側流路（カソード排ガス路６８）内の水素濃度が基準値を超えているか否かを判定する（ステップＳ１１０）。このステップＳ１１０で用いる基準値とは、後述する水素排出処理のためにエアコンプレッサ２４を駆動する必要があるか否かの判断基準となる値であり、予め設定された値である。なお、センシング部５３から電気信号Ａを取得して上記判定を行なう動作は、常に実行され続けることとしても良いが、水素透過量判定回路５４が備えるクロックを参照して所定の時間間隔で行なわれることとしても良い。これにより、燃料電池システム１０の停止後に水素濃度検出のために消費される電力量を抑えることができる。水素透過量判定回路５４は、カソード側流路内の水素濃度が所定の基準値を超えると判断されるまで、電気信号Ａを取得して基準値と比較する動作を繰り返す。
【００３８】
水素透過量判定回路５４は、水素濃度が所定の基準値を超えたと判断すると、スイッチ回路８２に対して接続信号を出力すると共に、制御部７０に対して水素濃度超過信号を出力する（ステップＳ１２０）。
【００３９】
スイッチ回路８２は、２次電池４０と制御部７０とを接続する配線に設けられており、２次電池４０から制御部７０への電力供給を入り切りする回路である。このスイッチ回路８２には、常に２次電池４０から電力が供給されており、水素透過量判定回路５４からの接続信号の入力があると接続状態になる。これによって、２次電池４０から制御部７０に対して電力供給が開始される。このように電力供給が開始されると、水素濃度超過信号が入力されている制御部７０のＣＰＵ７４では、酸化ガス制御部７１が起動される（ステップＳ１３０）。
【００４０】
起動された酸化ガス制御部７１は、システム停止中に水素濃度が超過したものと判断して、水素排出処理のための水素排出プログラムを実行する。すなわち、エアコンプレッサ２４を駆動して、燃料電池２２のカソード側流路に空気を供給する（ステップＳ１４０）。これによって、燃料電池２２内で電解質層を介してアノード側からカソード側へと透過した水素が、希釈器２６を介して外部に排出される。このときのエアコンプレッサ２４の駆動量（回転数）および駆動時間は、ステップＳ１１０において判断基準として用いる基準値となる水素濃度や、カソード側流路全体の容積などを考慮して、外部に排出されるガス中の水素濃度が充分に低くなる空気量を供給可能となるように設定しておけばよい。なお、ステップＳ１４０においては、エアコンプレッサ２４は、２次電池４０から電力供給を受ける。
【００４１】
酸化ガス制御部７１は、上記所定の駆動量で所定の駆動時間だけエアコンプレッサ２４を駆動すると、水素排出プログラムを終了してエアコンプレッサ２４の駆動を停止する。酸化ガス制御部７１が水素排出プログラムを終了すると、制御部７０は、スイッチ回路８２に対して図示しない切断信号を出力する。これにより、スイッチ回路８２は切断状態となって、制御部７０への電力供給が遮断され（ステップＳ１５０）、水素排出処理が終了する。
【００４２】
なお、燃料電池システム１０の停止中に、電気自動車１５に設けられた駆動スイッチ８０が使用者によってオンにされた場合には、駆動スイッチ８０から、スイッチ回路８２に対して接続信号が出力されると共に、制御部７０に対して駆動信号が出力される（図３参照）。これにより、スイッチ回路８２は、水素透過量判定回路５４から接続信号を入力された場合と同様に接続状態となり、２次電池４０から制御部７０に対して電力供給が開始されて制御部７０が起動される。
【００４３】
このように電力供給が開始されると、駆動信号が入力されている制御部７０は、通常のシステム起動を行なうべきと判断して、システム起動プログラムを実行する。すなわち、エアコンプレッサ２４の他、シャットバルブ６１、圧力調整弁６２、水素ポンプ６５等にも駆動信号を出力して、燃料電池２２による発電を開始するための処理を実行する。燃料電池２２からの発電が開始されると共に既述したスイッチ４７（図２参照）が接続されることにより、燃料電池２２から各部（駆動モータ３２、補機類４４あるいは制御部７０）に対する電力供給が可能となる。
【００４４】
燃料電池システム１０の稼働中に駆動スイッチ８０が使用者によってオフにされると、駆動スイッチ８０は、制御部７０に対して図示しない切断信号を出力する。これにより、スイッチ回路８２は切断状態となって、２次電池４０から制御部７０への電力供給が遮断されると共に、制御部７０では所定のシステム停止処理が実行される。これにより、燃料電池２２による発電が停止し、制御部７０が停止する。
【００４５】
なお、ステップＳ１２０で水素濃度超過信号が制御部７０に出力された後に、駆動スイッチ８０がオンにされる場合が考えられる。このような場合には、制御部７０においては、水素排出プログラムを終了してから通常のシステム起動プログラムを実行してもよいし、実行途中の水素排出プログラムをキャンセルして、通常のシステム起動プログラムを実行することとしても良い。
【００４６】
以上のように構成された構成された本実施例の燃料電池システム１０によれば、燃料電池システム１０の停止中にカソード側の流路における水素濃度が所定値を超えるとエアコンプレッサ２４を駆動するため、カソード側の流路における水素濃度の上昇を抑えることができる。したがって、次回システム起動時にエアコンプレッサ２４を駆動したときに、カソード排ガスとして、望ましくない程度に水素濃度が高いガスが排出されることがない。
【００４７】
また、本実施例の燃料電池システム１０によれば、システム停止中には制御部７０も停止し、水素濃度を判定するためには水素濃度センサ５２のみを用いるため、システム停止中の消費電力を抑えることができる。
【００４８】
さらに、水素排出処理のために燃料電池２２は起動せず、燃料電池以外の電力出力部である２次電池４０を電源としてエアコンプレッサ２４だけを駆動するため、システム効率の低下を抑制することができる。燃料電池２２による発電を行なうためには、水素ポンプ６５を始めとする各種燃料電池補機を駆動する必要があるが、２次電池４０のみを電源とすることで、燃料電池補機の駆動に起因するシステム効率の低下を防止できる。さらに、燃料電池による発電のために水素供給を行なうと、燃料電池内部の燃料ガス流路では再び水素濃度が高まるが、水素排出処理のために２次電池４０を用いることにより、水素排出処理に起因して燃料電池内部において水素濃度が再び上昇することもない。ただし、燃料電池２２による発電を行なわせて水素排出を行なうこととしても可能である。例えば、２次電池４０の残存容量が低い場合には、燃料電池２２による発電を行なわせて水素排出を行なうことで、次回システム起動時における２次電池４０の残存容量を確保することが可能となる。
【００４９】
Ｃ．第２実施例：
第１実施例では、燃料電池システム１０の停止中（駆動スイッチ８０がオフのとき）には制御部７０を停止しているが、システム停止中であっても制御部７０への電力供給を継続することとしても良い。このような構成を第２実施例として以下に説明する。
【００５０】
図５は、第２実施例の燃料電池システムの停止時に、カソード側流路における水素濃度を検出してカソード側流路から水素を排出する動作に関わる各部を表わすブロック図である。第２実施例の燃料電池システムは、第１実施例の燃料電池システム１０と類似する構成を有するため、共通する部分については同じ参照番号を付して詳しい説明を省略する。また、図６は、第２実施例の燃料電池システムの停止時に、カソード側流路における水素濃度の上昇に対応するために燃料電池システムで繰り返し実行される水素排出処理の工程を表わすフローチャートである。
【００５１】
ここで、第２実施例の燃料電池システムでは、水素濃度センサ５２と共に制御部７０も、燃料電池システムの停止中に２次電池４０から電力供給を受ける。ただし、制御部７０は、駆動スイッチ８０がオフにされてシステムが停止する際にはスリープモードとなる。すなわち、水素濃度センサ５２からの信号を取得した場合には直ちに動作可能であるが、電気自動車１５の制御に関わる機能は休止しており、システム稼働時に比べて消費電力が少ない運転状態となる。
【００５２】
第２実施例の燃料電池システムにおいても、第１実施例と同様に、駆動スイッチ８０がオフにされた後には、水素濃度センサ５２のセンシング部５３が、カソード排ガス路における水素濃度を検出する（ステップＳ２００）。そして、センシング部５３が水素濃度を検出して水素濃度に応じた電気信号Ａを出力すると、水素透過量判定回路５４は、この電気信号Ａに基づいて、カソード側流路内の水素濃度が所定の基準値を超えているか否かを判定する（ステップＳ２１０）。水素透過量判定回路５４において、水素濃度が所定の基準値を超えると判断されると、水素透過量判定回路５４から制御部７０に対して水素濃度超過信号が出力される（ステップＳ２２０）。
【００５３】
制御部７０は、水素濃度超過信号を取得すると、酸化ガス制御部７１においてスリープモードを解除する（ステップＳ２３０）。これにより、酸化ガス制御部７１は、第１実施例と同様にエアコンプレッサ２４のみを駆動して燃料電池２２のカソード側流路に空気を供給する動作を実行する（ステップＳ２４０）。なお、ステップＳ２４０においては、エアコンプレッサ２４は、２次電池４０から電力供給を受ける。所定の駆動条件（駆動量および駆動時間）でエアコンプレッサ２４を駆動すると、酸化ガス制御部７１は、エアコンプレッサ２４の駆動制御を停止して、再びスリープモードとなる（ステップＳ２５０）。これにより、水素排出処理が終了する。
【００５４】
なお、第２実施例では、燃料電池システムの停止中に電気自動車１５に設けられた駆動スイッチ８０が使用者によってオンにされた場合には、駆動スイッチ８０から制御部７０に対して第１実施例と同様の駆動信号が出力される（図５参照）。このような場合には、制御部７０は、スリープモードを解除して、燃料電池２２による発電を行なうための制御を直ちに開始する。燃料電池システムの稼働中に駆動スイッチ８０が使用者によってオフにされると、駆動スイッチ８０から制御部７０に対して図示しない切断信号が出力される。これにより、制御部７０では、所定のシステム停止処理が実行されると共に、制御部７０自身はスリープモードとなる。また、ステップＳ２２０で水素濃度超過信号が制御部７０に出力された後に、駆動スイッチ８０がオンにされた場合には、制御部７０においては、水素排出の動作を終了してから発電開始のための処理を実行してもよいし、実行途中の水素排出処理をキャンセルして、発電開始のための処理を実行しても良い。
【００５５】
以上のように構成された構成された第２実施例の燃料電池システムによれば、第１実施例と同様の効果を得ることができる。すなわち、燃料電池システムを停止させた後のカソード側流路における水素濃度の上昇を抑え、次回システム起動時にエアコンプレッサを駆動したときに、カソード排ガスとして望ましくない程度に水素濃度が高いガスが排出されることを防止できる。また、システムを停止させた後は制御部７０がスリープモードとなるため、制御部７０における電力消費を抑制することができる。さらに、第２実施例の燃料電池システムによれば、システムを停止させた後も制御部７０を停止することなくスリープモードにするため、制御部７０が水素濃度超過信号や駆動信号を取得したときには、制御部７０自身を起動するための処理を行なう必要がなく、より短い時間で所望の処理を開始することができる。
【００５６】
なお、第２実施例では、駆動スイッチ８０がオフにされた後には制御部７０全体がスリープモードになることとしたが、少なくとも酸化ガス制御部７１がスリープモードになれば、酸化ガス制御部７１における消費電力を削減する効果が得られる。例えば、駆動スイッチ８０がオフにされた後にも、制御部７０において水素排出処理以外の何らかの処理を行なうこととしても良い。この場合には、スリープモードとなっている酸化ガス制御部７１は、水素濃度超過信号および駆動信号以外の信号は無視して待機する状態とすればよい。
【００５７】
また、第２実施例の燃料電池システムにおいて、システム停止中に制御部７０をスリープモードに保ち続けるのではなく、システム停止期間が長いときには、第１実施例と同様に制御部７０への電力供給を遮断して制御部７０を停止させることとしても良い。電解質層を介したアノード側流路からカソード側流路への水素の透過は、燃料電池による発電停止後直ちに進行するが、やがて平衡状態に達する。また、２次電池４０を電源としてエアコンプレッサ２４を駆動して水素を排出することにより、カソード側流路内の水素濃度は次第に低減される。そのため、例えばシステム停止中のエアコンプレッサ２４の駆動回数が所定回数を超えたとき、あるいは、水素濃度センサによる水素濃度超過の検出が所定時間行なわれなかったときなど、燃料電池内の水素量が充分に低減されたと判断されるときには、制御部７０を停止させることとしても良い。これにより、システム停止が長期にわたるときに、消費電力を抑えることができる。
【００５８】
Ｄ．第３実施例：
燃料電池においては、電解質層の劣化が進行することによって、電解質層を介した水素の透過量が増大する場合がある。例えば固体高分子型燃料電池においては、電解質膜の経時的な劣化によって電解質膜にピンホールが次第に発生し、水素の透過量が増大する場合がある。第３実施例の燃料電池システムでは、システム停止中にカソード側流路内の水素濃度を水素濃度センサによって検出する際に、水素濃度の上昇率に基づいて、このような水素透過量を増大させる不具合が発生しているか否かを判定している。
【００５９】
図７は、第３実施例の燃料電池システムの停止時において、水素濃度の上昇率に基づいて実行される水素濃度上昇率判定処理の工程を表わすフローチャートである。なお、第３実施例の燃料電池システムは、図３に示した第１実施例の燃料電池システム１０と同様の構成を有しており、燃料電池システムの停止時には、図４と同様の水素排出処理が繰り返し実行される。図７に示す水素濃度上昇率判定処理は、第３実施例の燃料電池システムにおいて、図４の水素排出処理と並行して実行される処理である。
【００６０】
第３実施例の燃料電池システムの停止時において、水素濃度センサ５２では、既述した水素濃度の検出と共に、システム停止時からの経過時間が測定される（ステップＳ３００）。ここで、第３実施例の燃料電池システムでは、駆動スイッチ８０がオフにされて燃料電池による発電が停止されると共に制御部７０が停止するときに、制御部７０から水素透過量判定回路５４に対して、図示しないクロックリセット信号が出力される。このクロックリセット信号により、水素透過量判定回路５４が備えるクロックがリセットされて、水素透過量判定回路５４において、前回に燃料電池システムを停止してからの経過時間が測定される。
【００６１】
ここで、図４のステップＳ１１０において水素濃度が超過であると判定されると、既述した水素濃度超過信号が出力されると共に、水素透過量判定回路５４から制御部７０に対して、クロックを用いて測定された経過時間を示す経過時間信号が出力される（ステップＳ３１０）。水素濃度超過信号によって起動された制御部７０は、上記経過時間信号を取得して、前回駆動スイッチ８０がオフにされて燃料電池による発電を停止してから水素濃度超過であると判定されるまでの経過時間と、基準値とを比較する（ステップＳ３２０）。ここで、ステップＳ３２０で用いる基準値とは、発電を停止してから水素濃度センサ５２で水素濃度超過であると判定されるまでに要する時間の予測値として、予め設定され記憶されている値である。燃料電池システムにおける燃料ガスの配管容量は一定であり、また、システム停止時における配管内の水素圧や、劣化が生じていない電解質膜における水素透過率を予め知ることが可能であるため、このような予測値を設定することが可能となるのである。
【００６２】
このような基準値に比べて上記経過時間が短すぎる場合には、電解質膜の劣化などの、水素透過量を増大させる不具合が発生していると考えられる。従って、ステップＳ３２０で経過時間が基準値に比べて短すぎると判断されると、制御部７０は、報知部７２（図１参照）を駆動して（ステップＳ３３０）、水素濃度上昇率判定処理を終了する。ここで、報知部７２とは、水素濃度上昇率が高すぎる（水素透過速度が速すぎる）ことを使用者に知らせるために電気自動車１５に設けられるものである。報知部７２としては、例えば、電気自動車１５の運転席近傍（例えばインストルメントパネル）に設けた表示部とすることができる。ステップＳ３３０では、この表示部において所定の形状の表示を点灯させればよい。あるいは、報知部７２によって、水素透過率の上昇を告げる音声や、所定の警報音を発する構成としても良い。
【００６３】
なお、ステップＳ３２０において、経過時間が短すぎると判断されない場合には、燃料電池において水素透過量を増大させる不具合は生じていない、すなわち、電解質膜において問題とすべき劣化は進行していないと判断されて、燃料電池システムにおいて水素濃度上昇率判定処理は終了される。
【００６４】
以上のように構成された第３実施例の燃料電池システムによれば、第１実施例と同様の効果に加えて、さらに、燃料電池が備える電解質膜の劣化などの水素透過量を増大させる不具合を検出できるという効果を奏する。このような不具合が生じたときには、報知部７２による報知が行なわれるため、電解質膜の劣化がより進行するなど、水素透過量を増大させる不具合がより大きくなる前に、適切な対処が可能となる。
【００６５】
なお、第３実施例では、前回に駆動スイッチ８０がオフとなってからの経過時間に基づく判定を行なっているが、電解質膜を介した水素透過の程度、すなわち、透過する水素量の増加速度や、カソード側流路における水素濃度の上昇率を反映する情報に基づく判定であればよい。
【００６６】
また、上記実施例では、前回に駆動スイッチ８０がオフとなってからの水素透過量を問題としているが、システム停止中に水素排出処理を繰り返す場合に、前回に水素排出処理を行なってからの水素透過量に基づいて同様の判断を行なうことも可能である。この場合には、水素排出処理を終了する際に、制御部７０から水素透過量判定回路５４に対して、クロックリセット信号を出力すればよい。
【００６７】
また、水素透過の程度を判定する動作を、第１実施例と同様の燃料電池システムに代えて、第２実施例と同様の燃料電池システムに適用することとしても良い。この場合には、前回に燃料電池の発電を停止してからの経過時間は、スリープモードとなる制御部７０において計測することとしても良い。
【００６８】
Ｅ．変形例：
なお、この発明は上記の実施例や実施形態に限られるものではなく、その要旨を逸脱しない範囲において種々の態様において実施することが可能であり、例えば次のような変形も可能である。
【００６９】
Ｅ１．変形例１：
第１および第２実施例では、水素濃度センサ５２を設けて、カソード側流路における水素濃度として、電解質層を介した水素透過の程度を実測しているが、水素透過の程度を推定することとしても良い。例えば、電解質層における水素透過率やアノード側ガス流路の容積などのシステム構成に基づいて、カソード側流路における水素濃度が所定値となるのに要する時間を予め推定することができるため、推定された所要時間を経過したときに、水素排出処理を実行することとしても良い。
【００７０】
なお、システム停止中の水素排出処理は、検出した水素濃度に応じて、あるいは経過時間に応じて、複数回行なうこととしても良いし、１度行なうこととしても良い。燃料ガス及び酸化ガスの配管容量と、測定されたあるいは推定された透過水素量と、を考慮して、エアコンプレッサにおいて充分な駆動量（カソード側に供給する空気流量）を設定することで、外部に排出する水素濃度を充分に低減できればよい。
【００７１】
Ｅ２．変形例２：
水素排出のために酸化ガス流路に供給する空気の流量は、エアコンプレッサなどの酸化ガス供給部の駆動量（回転数）によって調節することができるが、実際に供給される空気量は、燃料電池システムの配設場所における大気圧の影響を受ける。すなわち、大気圧がより低い環境では、酸化ガス供給部における駆動量を同じにしても、実際に供給される空気流量はより少なくなる。ここで、外部に排出する水素濃度を充分に低減するためには、カソード側流路に対して所望の流量で空気を流す必要があるため、水素排出の動作を行なうときには、酸化ガス供給部の駆動量を、使用環境の大気圧に応じて補正することが望ましい。第１実施例の燃料電池システム１０は、酸化ガス供給路６７に大気圧センサ５０を備えているため、この大気圧センサ５０の検出値に基づいて、大気圧がより低いときには、酸化ガス供給部の駆動量をより増加させるように補正を行なえばよい。あるいは、酸化ガス供給部の駆動量として、大気圧に応じた望ましい駆動量をマップとして予め用意しておき、検出した大気圧に基づいて上記マップを参照して、酸化ガス供給部の駆動量制御をしても良い。
【００７２】
なお、このような大気圧に基づいて酸化ガス供給部の駆動量の補正を行なう際には、大気圧を直接には検出しないこととしても良い。大気圧を反映する情報を取得可能であれば、同様の制御が可能である。例えば、燃料電池システムを搭載する電気自動車が、カーナビゲーションシステムを搭載し、ＧＰＳ信号を受信可能であれば、ＧＰＳ信号から、大気圧と相関のある高度情報を得て、この高度情報に基づいて酸化ガス供給部の駆動量制御を行なうこととしても良い。
【００７３】
Ｅ３．変形例３：
実施例とは異なる構成の燃料電池システムにおいて本発明を適用することとしても良い。例えば、実施例の燃料電池システムでは、燃料電池に供給される水素ガスは循環流路内を循環するが、アノード排ガス路を設けず、燃料電池からアノード排ガスを排出させない構成（いわゆるデッドエンド型）としても良い。上記構成では、水素の循環は行なわれないが、発電で消費された水素量に対応する量の水素が新たに燃料電池内に供給される。このような燃料電池システムであっても、システム停止中には電解質層を介した水素の透過が進行するため、本発明を適用することで同様の効果が得られる。
【００７４】
あるいは、純度の高い水素を貯蔵する水素タンクを備える構成に代えて、改質器を設け、炭化水素系燃料を改質して得られる改質ガスを、燃料ガスとして燃料電池に供給することとしても良い。この場合にも、燃料電池システムの停止時にアノード側流路に水素濃度が高いガスが残留すると、電解質層を介した水素透過が進行するため、本発明を適用することで同様の効果が得られる。
【００７５】
また、燃料電池システムを、実施例のように移動体の駆動用電源とする他、定置型の発電装置として用いる場合であっても、本発明を適用可能である。
【図面の簡単な説明】
【００７６】
【図１】燃料電池の発電に関わる部分の構成の概略を表わすブロック図である。
【図２】実施例の電気自動車の概略構成を表わすブロック図である。
【図３】システム停止時の水素排出処理に関わる各部を表わすブロック図である。
【図４】水素排出処理の工程を表わすフローチャートである。
【図５】システム停止時の水素排出動作に関わる各部を表わすブロック図である。
【図６】水素排出処理の工程を表わすフローチャートである。
【図７】水素濃度上昇率判定処理の工程を表わすフローチャートである。
【符号の説明】
【００７７】
１０…燃料電池システム
１５…電気自動車
２２…燃料電池
２３…水素タンク
２４…エアコンプレッサ
２５…加湿モジュール
２６…希釈器
２７…気液分離器
２７ａ…バルブ
２８…エアクリーナ
３０…駆動インバータ
３２…駆動モータ
３４…減速ギヤ
３６…出力軸
３８…車両駆動軸
４２…ＤＣ／ＤＣコンバータ
４４…補機類
４７…スイッチ
４８…配線
５０…大気圧センサ
５２…水素濃度センサ
５３…センシング部
５４…水素透過量判定回路
６０…水素供給路
６１…シャットバルブ
６２…圧力調整弁
６３…アノード排ガス路
６４…排ガス排出路
６５…水素ポンプ
６７…酸化ガス供給路
６８…カソード排ガス路
７０…制御部
７１…酸化ガス制御部
７２…報知部
７４…ＣＰＵ
７５…ＲＯＭ
７６…ＲＡＭ
７８…入出力ポート
８０…駆動スイッチ
８２…スイッチ回路
【図１】
2006252903.tif 000003
【図２】
2006252903.tif 000004
【図３】
2006252903.tif 000005
【図４】
2006252903.tif 000006
【図５】
2006252903.tif 000007
【図６】
2006252903.tif 000008
【図７】
2006252903.tif 000009